(57)【要約】
【課題】乳幼児を含めた子供の緊張感を取除き、和ませた状態で安全に耳垢掃除を行うことができるようにした子供用耳かき具を提供する。
【解決手段】先端に耳かき部２を形成した耳かき棒１と、当該耳かき棒１の基端部４を保持する握持部本体３とから構成される子供用耳かき具であって、前記握持部本体３内に音発生手段（ＩＣ）５より出力される虫の鳴き声や、小鳥の囀る擬音、あるいはメロディ音を発するスピーカ６を付設する。また耳かき棒１を透明な合成樹脂材によって形成し、握持部本体３内に付設したＬＥＤのような発光手段９から照射される光を耳かき棒１を介して耳孔内に導き、当該耳孔内を照らすことができるようにした。
【選択図】図１
0003099134.tif 000002
【実用新案登録請求の範囲】
【請求項１】
　先端に耳かき部を形成した耳かき棒と、当該耳かき棒を保持する握持部本体とから構成される子供用耳かき具において、前記握持部本体内に音発生手段より出力される虫や小鳥の擬音、あるいはメロディ音を発するスピーカを付設したことを特徴とする子供用耳かき具。
【請求項２】
　耳かき棒を透明な合成樹脂材によって形成し、握持部本体内に付設したＬＥＤのような発光手段から照射される光を耳かき棒を介して耳孔内に導き、当該耳孔内を照らすことができるようになしたことを特徴とする請求項１記載の子供用耳かき具。
【考案の詳細な説明】
【技術分野】
【０００１】
　本考案は、先端に耳かき部を形成した耳かき具の改良に係り、特に耳かき操作中に虫の鳴き声や、小鳥の囀る音等をスピーカから出力させて緊張感を取除くことができるようになした子供用の耳かき具に関する。
【背景技術】
【０００２】
　耳垢を取除くための耳かき具については、従来、光源によって耳孔内を照らすことができるようにした照明機能付きのものや、軸部を回転させるようにした電動回転式耳かき具、さらには、耳かきによって生じた耳滓を自動的に吸引除去できるようにした自動吸引式耳かき具等が知られている。
【特許文献１】特開平６−２６１８３９号公報
【特許文献２】特開平７−２６５２２６号公報
【特許文献３】特開２００２−３３０８９０号公報
【特許文献４】特開２００３−４６９号公報
【特許文献５】実開平１−１１４８９１号公報
【特許文献６】実用新案登録第３０１２６０５号公報
【０００３】
　しかしながら、乳幼児を含めた子供の場合、耳孔内に耳かき棒を挿入しようとすると、異物が侵入するという不安感等から逃れようとするため耳かきを極端に嫌がり、無理に挿入することによって耳孔内を傷付けたりすることがある。そのため、実際上耳孔内を衛生的に保つことができないという不都合があった。
【考案の開示】
【考案が解決しようとする課題】
【０００４】
　本考案は上記したような場合に、乳幼児を含めた子供の緊張感を取除き、和ませた状態で安全に耳垢掃除を行うことができるようにした子供用耳かき具を提供しようとするものである。
【０００５】
　従って、本考案は子供の耳元に心地よい小鳥の囀りや、虫の鳴き声、あるいは童謡や子守唄等のメロディを奏出できるように耳かき棒の握持部本体内にスピーカを付設した子供用耳かき具を提供することを目的とするものである。
【課題を解決するための手段】
【０００６】
　上記目的を達成するための本考案の構成を詳述すれば，請求項１に係る考案は、先端に耳かき部を形成した耳かき棒と、当該耳かき棒を保持する握持部本体とから構成される子供用耳かき具において、前記握持部本体内に音発生手段より出力される虫や小鳥の擬音、あるいはメロディ音を発するスピーカを付設したことを特徴とする子供用耳かき具である。
【０００７】
　また、請求項２に係る考案は、耳かき棒を透明な合成樹脂材によって形成し、握持部本体内に付設したＬＥＤのような発光手段から照射される光を耳かき棒を介して耳孔内に導き、当該耳孔内を照らすことができるようになしたことを特徴とする請求項１記載の子供用耳かき具である。
【考案の効果】
【０００８】
　本考案子供用耳かき具によれば、耳孔内に耳かき棒を挿入して耳垢を掃除している最中、スピーカより子供の気持ちを落ち着かせることができる虫や小鳥等の擬音、あるいは心を和ませるメロディ音等を出力させて安全に耳かき操作を行うことができるようになる。
【０００９】
　また、発音機能に併せて子供の耳孔内をＬＥＤ等の発光手段によって照らすことができるようにした場合には、これまでより一層安全に乳幼児を含めた子供の耳掃除を行うことができるようになる。
【考案を実施するための最良の形態】
【００１０】
　以下、本考案子供用耳かき具の具体的構成を図示の実施形態に基づき詳細に説明する。
　図１は本考案耳かき具の一実施形態を示す外観図、図２は図１のＡ−Ａ断面図、図３は音発生手段と発光手段の一例を示す回路図、図４は本考案耳かき具の使用状態図である。
【００１１】
　図中１は先端に適宜形状の耳かき部２を形成した耳かき棒であり、３は当該耳かき棒１の基端部４を保持する握持部本体である。なお、図示の実施形態においては、握持部本体３の下端部に耳かき棒１の基端部４を固定状態にて取付けるようにしてあるが、耳かき棒１を交換可能なように握持部本体３に保持させるようにしてもよいのは云うまでもない。
【００１２】
　従って、図４に示すように握持部本体３を手指で掴んで耳かき棒１の先端耳かき部２を耳孔内に挿入して耳垢を取除くことができるものである。
【００１３】
　このような構成の耳かき具において、本考案は前記握持部本体３内に電池電源１０を配設すると共に、音発生手段（ＩＣ）５より出力される虫や、小鳥の擬音、あるいは童謡や、子守唄等の曲音を発するスピーカ６を配設するようにしたものである。
【００１４】
　握持部本体３の表面側には音発生手段（ＩＣ）５を起動させることができる押ボタンＳＷ７を設けてあり、当該押ボタンＳＷ７を押すと、音発生手段５をなすＲＯＭ等に予め記憶させてあるメロディ音や，虫の鳴き声、小鳥の囀る音等がスピーカ６を介して握持部本体３に穿設してある放音孔８より出力される。
【００１５】
　なお、異なる複数の曲、あるいは諸種の擬音等をＲＯＭ等に記憶させておいて、これを押ボタンＳＷ７を１回押す毎に変更できるようにして、好みの音を出力させるようにしてもよいのは勿論である。
【００１６】
　なお、スピーカ６より出力される音は、押ボタンＳＷ７を再度押すことにより停止させるようにしてもよいし、あるいは前記音発生手段５にタイマー回路等を組み込むことによって、所定時間経過後に自動的に停止するようにすることもできる。
【００１７】
　本考案は以上のように、耳かき棒１を保持する握持部本体３内に、子供を緊張状態から解きほぐすことができる効果音を出力するスピーカ６を付設するようにしたものであり、押ボタンＳＷ７を押すことによって好みの擬音等を子供の耳元で奏出させスムーズに耳垢掃除を行うことが可能となる。
【００１８】
　本考案はさらに、乳幼児を含めた子供の耳掃除を安全且つ迅速に行えるよう前記押ボタンＳＷ７を押すと握持部本体３内に配設したＬＥＤ等よりなる発光手段９が点灯して前記発音と共に、発光手段９から照射される光が耳孔内に導かれ、耳孔内を照らすことができるようにしてある。
【００１９】
　そのため、図示の実施形態においては、握持部本体３内に付設した発光手段９から照射される光を耳孔内に導き易くするため、前記耳かき棒１をポリエチレンテレフタレート樹脂のような光透過性材料によって形成すると共に、耳かき棒１の透明な基端部４に対向するように発光手段９を位置させてある。
【００２０】
　この実施形態によった場合は、押ボタンＳＷ７を押すと、虫の鳴き声や、小鳥の囀り音等が出力されると共に、発光手段９から照射される光によって耳孔内を照らし出すことができ、一層安全に耳孔内の掃除が可能となる。
【図面の簡単な説明】
【００２１】
【図１】本考案耳かき具の一実施形態を示す外観図である。
【図２】図１のＡ−Ａ断面図である。
【図３】音発生手段と発光手段の一例を示す回路図である。
【図４】本考案耳かき具の使用状態図である。
【符号の説明】
【００２２】
　１　　耳かき棒
　２　　耳かき部
　３　　握持部本体（ＩＣ）
　４　　基端部
　５　　音発生手段
　６　　スピーカ
　７　　押ボタンＳＷ
　８　　放音孔
　９　　発光手段
１０　　電池電源
【図１】
0003099134.tif 000003
【図２】
0003099134.tif 000004
【図３】
0003099134.tif 000005
【図４】
0003099134.tif 000006